(57)【要約】【課題】ＬＥＤチップの配光パターンの変更に対応できるとともに効率良く放熱でき、ＬＥＤチップ等の外形の変更に対応できる照明器具を提供する。【解決手段】照明器具１０は、締結部材孔１７を中央部に有して光源１８が取り付けられた取付板１９を有する光源ユニット１６と、光源ユニット１６を収容した器具本体１１と、器具本体１１の底部に設けられ、締結部材１５が設けられた取付台１４とを備え、取付板１９の締結部材孔１７が締結部材１５に挿通されることにより取付板１９を器具本体１１に取り付ける。【選択図】図１
2012048931.tif 000002
【特許請求の範囲】
【請求項１】
締結部材孔を中央部に有して光源が取り付けられた取付板を有する光源ユニットと、
前記光源ユニットを収容した器具本体と、
前記器具本体の底部に設けられ、締結部材が設けられた取付台とを備え、
前記取付板の前記締結部材孔が前記締結部材に挿通されることにより前記取付板を前記器具本体に取り付ける照明器具。
【請求項２】
請求項１に記載の照明器具において、
前記取付板の周縁部に立壁板を設け、前記立壁板が前記器具本体の内面に接触される照明器具。
【請求項３】
請求項１または請求項２に記載の照明器具において、
前記器具本体に、前記光源ユニットの前面に化粧カバーが取り付けられる照明器具。
【請求項４】
請求項１ないし請求項３のうちのいずれか１項に記載の照明器具において、
前記取付板の裏面側に取り付けられる放熱板を備え、前記放熱板は、周縁部に立壁板を設け、締結部材孔を中央部に有する照明器具。
【発明の詳細な説明】
【技術分野】
【０００１】
本発明は、天井面に設置されるスポットライトに適用される照明器具に関する。
【背景技術】
【０００２】
従来より、光源を収容した器具本体と、光源を点灯または消灯させる点灯装置部とを備えた照明器具が知られている（例えば、特許文献１参照）。
【先行技術文献】
【特許文献】
【０００３】
【特許文献１】特開２００９−３２４７３号公報（図１、段落００１０）
【発明の概要】
【発明が解決しようとする課題】
【０００４】
前述した特許文献１に記載された照明器具は、固定部とプラグ部とを備え、固定部がライティングダクトに係合されるとともにプラグ部がライティングダクトに電気的に接続されて固定されることにより、器具本体をライティングダクトに堅牢に取り付けることができる。
【０００５】
ところで、図９に示すように、器具本体１０１に取り付けられた取付台１０２に複数のＬＥＤチップ１０３を有する光源ユニット１０４が取り付けられた照明器具１００が提案されている。
このような従来の照明器具１００は、取付台１０２の基端部が器具本体１０１の底部にねじ１０５により取付けられ、取付台１０２の先端部に、光源ユニット１０４に有する取付板１０６がねじ１０７により取り付けられる。
図１０に示すように、取付板１０６は、ねじ１０７を取付台１０２にねじ込むための複数のねじ孔１０８を有する。
【０００６】
しかし、このような従来の照明器具１００は、以下の３つの課題を有する。
課題の１つ目は、照明器具１００は、光源ユニット１０４に有するＬＥＤチップ１０３の配光パターンが取付板１０６の取付け位置により決定される。そのため、照明器具１００は、ＬＥＤチップ１０３の配光パターンを変更する場合、取付板１０６に複数のねじ孔１０８を予め設けなければならず、ＬＥＤチップ１０３の配光パターンの変更に対応し難いことである。
【０００７】
課題の２つ目は、照明器具１００は、ＬＥＤチップ１０３の発熱を、器具本体１０１を介して放熱する必要がある。しかし、照明器具１００において、製造時の誤差等により器具本体１０１と取付板１０６との密着性が良好ではない場合、ＬＥＤチップ１０３の熱が取付板１０６から器具本体１０１に伝わらずに、効率良く放熱を行えないことである。
【０００８】
課題の３つ目は、照明器具１００は、光源ユニット１０４に有するＬＥＤチップ１０３が、外形、特に高さ寸法の大きなものに変更される場合、取付台１０２および取付板１０６を別形状のものに新規に製作しなければならないことである。
【０００９】
本発明は、前述した課題を解決するためになされたものであり、その目的は、ＬＥＤチップの配光パターンの変更に対応できるとともに効率良く放熱でき、ＬＥＤチップ等の外形の変更に対応できる照明器具を提供することにある。
【課題を解決するための手段】
【００１０】
本発明に係る照明器具は、締結部材孔を中央部に有して光源が取り付けられた取付板を有する光源ユニットと、光源ユニットを収容した器具本体と、器具本体の底部に設けられ、締結部材が設けられた取付台とを備え、取付板の締結部材孔が締結部材に挿通されることにより取付板を器具本体に取り付ける。
【００１１】
本発明に係る照明器具は、取付板の周縁部に立壁板を設け、立壁板が器具本体の内面に接触される。
【００１２】
本発明に係る照明器具は、器具本体に、光源ユニットの前面に化粧カバーが取り付けられる。
【００１３】
本発明に係る照明器具は、取付板の裏面側に取り付けられる放熱板を備え、放熱板は、周縁部に立壁板を設け、締結部材孔を中央部に有する。
【発明の効果】
【００１４】
本発明に係る照明器具によれば、ＬＥＤチップの配光パターンの変更に対応できるとともに効率良く放熱でき、ＬＥＤチップ等の外形の変更に対応できるという効果を奏する。
【図面の簡単な説明】
【００１５】
【図１】本発明に係る一実施形態の照明器具の正面図
【図２】図１の照明器具の垂直断面図
【図３】（Ａ）は図１の照明器具に適用される取付板の側面図、（Ｂ）は（Ａ）の正面図
【図４】図１の照明器具における取付板の作用を説明する垂直断面図
【図５】図１の照明器具における取付板の回動時におけるＬＥＤチップの配置を説明する正面図
【図６】本発明に係る一実施形態の照明器具に適用される取付板の変形例の正面図
【図７】図６の取付板の回動時におけるＬＥＤチップの配置を説明する正面図
【図８】本発明に係る照明器具の変形例の垂直断面図
【図９】従来の照明器具の垂直断面図
【図１０】図９の照明器具に適用される取付板の正面図
【発明を実施するための形態】
【００１６】
以下、本発明に係る一実施形態の照明器具について図面を参照して説明する。
図１に本発明に係る一実施形態の照明器具１０の正面図を示し、図２に照明器具１０の垂直断面図を示す。
図１および図２に示すように、照明器具１０は、器具本体１１と、器具本体１１に連結された点灯装置部１２と、化粧カバー１３と、器具本体１１の底部に設けられた取付台１４と、取付台１４に設けられた締結部材であるボルト１５と、締結部材孔であるボルト孔１７を中央部に有して光源である複数のＬＥＤチップ１８が取り付けられた取付板１９を有する光源ユニット１６と、放熱板２０とを備えるスポットライトである。
【００１７】
器具本体１１は、アルミニウムダイカスト等の金属材料を用いて円筒形状に形成されている。器具本体１１は、底部に取付台１４を取り付けるための基部２１を有し、先端部の開口部２２に外カバー２３が取り付けられている。器具本体１１は、その内面に、開口部２２から基部２１に向けて縮径された傾斜面２４を有する。
点灯装置部１２は、箱形状に形成されたケース２５内に不図示の安定器や不図示の電源端子台等を収容している。ケース２５は、回動ブラケット２６を介して器具本体１１に連結されている。ケース２５は、天井面に設置された不図示のライティングダクトに連結される。
【００１８】
取付台１４は、金属製の板部材を折り曲げ加工することにより略コ字形状に形成されている。取付台１４は、その底部がねじ２７により器具本体１１の基部２１に固定されている。取付台１４の中央部には、一対のナット２８の共締めによりボルト１５が固定されている。ボルト１５は、器具本体１１の軸方向に沿って中央部に配置されている。
光源ユニット１６は、取付板１９上に複数のＬＥＤチップ１８を有する。ＬＥＤチップ１８は、器具配線２９を通じて点灯装置部１２に電気的に接続されている。光源ユニット１６は、ＬＥＤチップ１８の前方に反射板３０を有し、反射板３０の前方にレンズ３１を有する。そして、レンズ３１の前方に化粧カバー１３が取り付けられている。
従って、化粧カバー１３は、万が一に、飛散してきた異物等があった場合に、ＬＥＤチップ１８やレンズ３１が損傷を受けないように保護できる。
【００１９】
取付板１９は、円形の板本体３２の前方側部に周板３３を有する。取付板１９は、板本体３２の中央部にボルト孔１７を有する。取付板１９は、ボルト孔１７にボルト１５が挿通された後にナット３４がボルト１５にねじ込まれることにより器具本体１１内の所定の位置に取り付けられる。
放熱板２０は、取付板１９と相似形状であって、円形の板本体３５の前方側部に周板３６を有する。放熱板２０は、板本体３５の中央部に締結部材孔であるボルト孔３７を有する。放熱板２０は、ボルト孔３７にボルト１５が挿通された後にナット３８がボルト１５にねじ込まれることにより器具本体１１内の取付板１９の後方の位置に取り付けられる。
【００２０】
図３（Ａ）に取付板１９の側面図を示し、図３（Ｂ）に取付板１９の正面図を示す。
図３（Ａ）に示すように、取付板１９は、その周板３３が、器具本体１１の内面の傾斜面２４に平行に配置されるようにわずかに傾斜されている。
図３（Ｂ）に示すように、取付板１９の板本体３２上には、４個のＬＥＤチップ１８が田の字配置で配列されている。取付板１９は、周板３３が器具本体１１の軸方向に切除された複数の切欠３９を介して分離されている。取付板１９は、板本体３２の中央部に単一のボルト孔１７を有するために、従来のもののように複数のねじ孔を有さない。
従って、取付板１９は、中央部のボルト孔１７に挿通されたボルト１５にナット３４がねじ込まれることによりボルト１５に取り付けられるために、ボルト孔１７を中心として任意の角度に回動させることにより４個の田の字配置のＬＥＤチップ１８の配光パターンの変更に対応できる。
【００２１】
図４に取付板１９の作用を説明する垂直断面図を示す。
図４に示すように、取付板１９は、ボルト孔１７に挿通されたボルト１５にナット３４がねじ込まれることにより、ボルト１５の軸方向に、図４中に矢印で示す器具本体１１の基部２１側に変位する。そのため、取付板１９の器具本体１１の基部２１へ向けた変位に伴い、周板３３が器具本体１１の内面の傾斜面２４に面接触する。このとき、周板３３が複数の切欠３９を介して分離されているために、器具本体１１の傾斜面２４に対する大きな摩擦力を生じて確実に面接触できる。
従って、取付板１９は、取付板１９自体または器具本体１１に製造時の誤差等があったとしても、ＬＥＤチップ１８の熱を器具本体１１に対して効率よく伝えて放熱できる。
【００２２】
このとき、取付板１９の後方に、取付板１９と同様にボルト１５に取り付けられた放熱板２０は、その周板３６が器具本体１１の内面の傾斜面２４に面接触する。
従って、放熱板２０は、取付板１９を介して伝わったＬＥＤチップ１８の熱を器具本体１１に対して効率よく伝えて放熱できる。
【００２３】
図５に取付板１９の回動時におけるＬＥＤチップ１８の配置を説明する正面図を示す。
図５に示すように、図３（Ｂ）に示した４個のＬＥＤチップ１８が田の字配置で配列されている取付板１９が、ボルト１５を回動中心として９０度回動されてから、ボルト１５にナット３４がねじ込まれる。これにより、田の字配置の４個のＬＥＤチップ１８を４個の十字配置への配光パターンの変更を簡単に行える。
【００２４】
図６に取付板１９の変形例の正面図を示し、図７に取付板１９の回動時におけるＬＥＤチップ１８の配置を説明する正面図を示す。
図６に示すように、本変形例の取付板１９の板本体３２上には、２個のＬＥＤチップ１８が縦配置で配列されている。
【００２５】
図７に示すように、図６に示した２個のＬＥＤチップ１８が縦配置で配列されている取付板１９が、ボルト１５を回動中心として９０度回動されてから、ボルト１５にナット３４がねじ込まれる。これにより、縦配置の２個のＬＥＤチップ１８を２個の横配置への配光パターンの変更を簡単に行える。
従って、取付板１９は、ボルト１５を回動中心として任意の角度に回動されることにより、ＬＥＤチップ１８の配光パターンを、田の字配置から十字配置へ、あるいは、縦配置から横配置へ、任意に設定変更できるために、照明器具１０の設置場所において、ＬＥＤチップ１８の配光パターンを簡単に変更できる。
【００２６】
図８に変形例の照明器具５０の垂直断面図を示す。
図８に示すように、本変形例の照明器具５０は、高さ寸法が大きいものに変更されたＬＥＤチップ５１や大きさが変更されたレンズ５２および反射板５３が用いられる場合に好適である。この場合の照明器具５０は、高さ寸法が大きいＬＥＤチップ５１や大きさが変更されたレンズ５２および反射板５３に対応して取付板５４のみが新規に製作される。
従って、本変形例の照明器具５０は、高さ寸法が大きいＬＥＤチップ５１や大きさが変更されたレンズ５２および反射板５３が用いられる場合に、従来のもののように、取付台および取付板を別形状のものに新規に製作する必要がない。
【００２７】
以上、説明した照明器具１０，５０によれば、ボルト孔１７にボルト１５が挿通された後にナット３４がボルト１５にねじ込まれることにより、取付板１９，５４が器具本体１１内の所定の位置に取り付けられるために、ＬＥＤチップ１８，５１の配光パターンの変更に対応できる。
【００２８】
また、照明器具１０，５０によれば、ボルト１５にナット３４がねじ込まれて、取付板１９，５４が器具本体１１の基部２１へ向けて変位することにより、取付板１９，５４の周板３３が器具本体１１の内面の傾斜面２４に面接触するために、取付板１９，５４は、取付板１９，５４自体または器具本体１１に製造時の誤差等があったとしても、ＬＥＤチップ１８，５１の熱を器具本体１１に対して効率よく伝えて放熱できる。
【００２９】
そして、照明器具１０，５０によれば、器具本体１１において光源ユニット１６の前面に化粧カバー１３が取り付けられるために、万が一に、飛散してきた異物等があった場合に、ＬＥＤチップ１８，５１やレンズ３１，５２が損傷を受けないように保護できる。
【００３０】
加えて、照明器具１０，５０によれば、取付板１９，５４の後方において、取付板１９，５４と同様にボルト１５に取り付けられた放熱板２０が、その周板３６を器具本体１１の内面の傾斜面２４に面接触させるために、取付板１９，５４を介して伝わったＬＥＤチップ１８，５１の熱を器具本体１１に対して効率よく伝えて放熱できる。
【００３１】
なお、本発明の照明器具において器具本体，点灯装置部，ＬＥＤチップ等は、前述した実施形態に限定されるものでなく、適宜な変形や改良等が可能である。
【符号の説明】
【００３２】
１０，５０  照明器具
１１  器具本体
１３  化粧カバー
１４  取付台
１５  ボルト（締結部材）
１６  光源ユニット
１７  ボルト孔（締結部材孔）
１８，５１  ＬＥＤチップ（光源）
１９，５４  取付板
２０  放熱板
３３  周板（立壁板）
３６  周板（立壁板）
３７  ボルト孔（締結部材孔）
【図１】
2012048931.tif 000003
【図２】
2012048931.tif 000004
【図３】
2012048931.tif 000005
【図４】
2012048931.tif 000006
【図５】
2012048931.tif 000007
【図６】
2012048931.tif 000008
【図７】
2012048931.tif 000009
【図８】
2012048931.tif 000010
【図９】
2012048931.tif 000011
【図１０】
2012048931.tif 000012